(57)【特許請求の範囲】
【請求項１】
粘着テープをロール状に巻回して構成されるテープロールを収容するケースを備え、前記テープロールから巻き出された粘着テープを切断することのできるテープディスペンサーにおいて、
前記ケースが、
第１の主板と、
前記第１の主板に一定の間隔をおいて配置された第２の主板と、
前記第１の主板及び前記第２の主板の間に設けられた周壁と、
前記第１の主板に設けられ、前記第２の主板に向かって延びる、前記テープロールを回転自在に支持するための支持軸と、
を備え、
前記第１の主板及び前記第２の主板が互いに回動可能に結合されており、
前記周壁が、その周方向において第１の周壁部分と第２の周壁部分とに分割され、前記第１の周壁部分が前記第１の主板と一体化され、前記第２の周壁部分が前記第２の主板と一体化されており、
前記第２の周壁部分にカッター刃が設けられており、
前記第１の主板に対する前記支持軸の設置位置が、前記第１の主板の前記第２の主板に対する回動可能な結合位置からずれており、
前記カッター刃の近傍の前記第２の周壁部分に略円弧状のテープ支え面が設けられており、該テープ支え面は、前記支持軸により支持された前記テープロールから巻き出された前記粘着テープが前記カッター刃により切断された後、該粘着テープの自由端を保持するようになっており、且つ、前記テープ支え面により保持された前記粘着テープの自由端と前記テープロールとの間の前記粘着テープの部分が、前記第１の主板を前記第２の主板に対して回動した場合に露出されるようになっており、
前記第２の周壁部分の内面が、複数の突条を有する面、複数の小突起を有する面、サンド加工された面、エンボス加工された面及び離型処理剤が塗布された面からなる群より１つ以上選択された面であることを特徴とする、テープディスペンサー。
【請求項２】
前記第１の主板に設けられた前記支持軸が自由端を有し、前記自由端は、前記第２の主板に接し、前記第１の主板を前記第２の主板に対して回動した場合に前記第２の主板上を摺動可能となっており、前記第２の主板には、前記自由端と係合して前記第２の主板に対する前記第１の主板の動きを制限する突起が設けられていることを特徴とする、請求項１に記載のテープディスペンサー。
【請求項３】
前記支持軸に取り付けられたテープロールをさらに備え、
前記第１の主板及び前記第１の周壁部分は、前記テープロールの少なくとも一部分が露出するように、前記第２の主板に対して回動可能となっていることを特徴とする、請求項１又は２に記載のテープディスペンサー。
【発明の詳細な説明】
【技術分野】
【０００１】
本発明は、粘着テープのテープロールを収容し、繰り出された粘着テープを切断することができるテープディスペンサーに関する。
【背景技術】
【０００２】
ロール状粘着テープ用のテープディスペンサーは従来から種々の型式のものがあり、特に、持ち運びに便利なコンパクトタイプのテープディスペンサーに関しては、例えば下記の特許文献１や特許文献２に記載のものが知られている。
【０００３】
特許文献１及び特許文献２に記載のテープディスペンサーは、粘着テープをロール状に巻回してなるテープロールを収容するケースと、このケースの周壁の一部に設けられたテープ引出し口に開閉可能に取り付けられたカッターとから構成されている。カッターはケースの周壁の一部となり、テープディスペンサーは、使用していない状態ではコンパクトな形状となる。
【先行技術文献】
【特許文献】
【０００４】
【特許文献１】実開平１−７６８５０号公報
【特許文献２】実開平２−１２４９６８号公報
【発明の概要】
【発明が解決しようとする課題】
【０００５】
上述した従来のテープディスペンサーは、コンパクト性に優れたものである。
【０００６】
しかしながら、特許文献１及び特許文献２に記載のテープディスペンサーは、いずれも、カッターがケースと別体で形成されており、使用に際しては、一方の手でケースを押さえながら、他方の手でカッターを外方に揺動させてケースのテープ引出し口を開き、そこから粘着テープの先端を引き出し、露出したカッターの刃で粘着テープを切断するものである。
また、特許文献１に記載のテープディスペンサーにおいては、粘着テープの先端を保持する手段がなく、粘着テープがテープロールに巻き戻り易い。一旦粘着テープが巻き戻ってしまうと、テープ引出し口が狭いため、次に使用する際に粘着テープの先端を見つけ、それをテープロールから剥がす作業が困難となる。その場合、テープロールをケースから取り外す必要が生じることもある。また、特許文献１に記載のテープディスペンサーは、ケースの一面が開放されているため、ほこりがテープロールに付着しやすいという問題点もある。
【０００７】
一方、特許文献２に記載のテープディスペンサーにあっては、粘着テープの先端が粘着テープ自体の粘着剤によってカッターに保持されるため、粘着テープがテープロールに巻き戻ることは少ない。また、ケースがテープロール全体を囲む構成を採っているため、ほこりの問題もない。
【０００８】
しかし、ケースがテープロール全体を囲む構成を採っていることにより、粘着テープの先端がカッターから剥がれて粘着テープが巻き戻ってしまった場合には、ケースの蓋を外し、テープロールをケースから取り出す必要があり、手間がかかる。また、テープロールの交換にも、同様に手間がかかる。
【０００９】
そこで、本発明は、テープディスペンサーのコンパクト性を維持しつつ、操作性を改善可能なテープディスペンサーを提供することを目的とする。
【課題を解決するための手段】
【００１０】
上記目的を達成するために、本発明によれば、粘着テープをロール状に巻回して構成されるテープロールを収容するケースを備え、テープロールから巻き出された粘着テープを切断することのできるテープディスペンサーにおいて、前記ケースは、第１の主板と、この第１の主板に一定の間隔をおいて配置された第２の主板と、第１の主板及び第２の主板の間に設けられた周壁と、第１の主板に設けられ第２の主板に向かって延びる、テープロールを回転自在に支持するための支持軸とを備え、第１の主板及び第２の主板は互いに回動可能に結合されており、周壁は、その周方向において第１の周壁部分と第２の周壁部分とに分割され、第１の周壁部分が第１の主板と一体化され、第２の周壁部分が第２の主板と一体化されており、第２の周壁部分にカッター刃が設けられている。また、本発明によるテープディスペンサーは、第１の主板に対する支持軸の設置位置が、第１の主板の第２の主板に対する回動可能な結合位置からずれており、カッター刃の近傍の第２の周壁部分に略円弧状のテープ支え面が設けられており、このテープ支え面は、テープロールから巻き出された粘着テープがカッター刃により切断された後、該粘着テープの自由端を保持するようになっており、且つ、テープ支え面により保持された粘着テープの自由端とテープロールとの間の粘着テープの部分が、第１の主板を第２の主板に対して回動した場合に露出されるようになっており、第２の周壁部分の内面が、複数の突条を有する面、複数の小突起を有する面、サンド加工された面、エンボス加工された面及び離型処理剤が塗布された面からなる群より１つ以上選択された面であることを特徴としている。
【発明の効果】
【００１１】
本発明の構成においては、テープロールを第１および第２の主板とその間に設けられた周壁で構成されるケースにコンパクトに収納できるとともに、第１の主板を第２の主板に対して回動させることで、２つに分割された周壁部分が主板の回動と共に開き、第１もしくは第２の周壁部に設けられたカッター刃を取り出すことができる。また、これらの回動により、ケースを開放状態とし、テープロールの交換を容易に行うことができる。このように、本発明のテープディスペンサーの構成によれば、コンパクト性を維持しつつ、操作性を改善可能なテープディスペンサーを提供することができる。
【図面の簡単な説明】
【００１２】
【図１】本発明によるテープディスペンサーの一実施形態を示す斜視図であり、閉じた状態を示す図である。
【図２】図１のテープディスペンサーを開いた状態を示す斜視図である。
【図３】図１のテープディスペンサーの使用状態を示す正面図である。
【図４】図１のテープディスペンサーの未使用状態を示す正面図である。
【図５】図１のテープディスペンサーにおける第２の主板の内面を示す斜視図である。
【図６】カッター刃の裏面側に設けられたテープ支え面を示す拡大斜視図である。
【図７】（ａ）〜（ｃ）は図１のテープディスペンサーの開放状態を変えて示した図であり、特に、テープ支え面とテープロールの位置との関係をそれぞれ示した図である。
【図８】本発明によるテープディスペンサーの変形例を示す正面図である。
【発明を実施するための形態】
【００１３】
まず、本発明の一実施形態に係るテープディスペンサーについて簡単に述べる。本実施形態のテープディスペンサーは、粘着テープをロール状に巻回して構成されるテープロールを収容するケースを備え、テープロールから巻き出された粘着テープを切断することのできるものである。ケースは、第１の主板と、この第１の主板に一定の間隔をおいて配置された第２の主板と、第１の主板及び第２の主板の間に設けられた周壁と、第１の主板及び第２の主板のいずれか一方に設けられ、他方の主板に向かって延びる、テープロールを回転自在に支持するための支持軸とを備える。第１の主板及び第２の主板は互いに回動可能に結合されており、周壁は、その周方向において第１の周壁部分と第２の周壁部分とに分割され、第１の周壁部分が第１の主板と一体化され、第２の周壁部分が第２の主板と一体化されており、第１の周壁部分及び第２の周壁部分のいずれか一方にカッター刃が設けられていることを特徴としている。
【００１４】
上述する本実施形態のテープディスペンサーの構成においては、第１の主板を第２の主板に対して回動させることで、２つに分割された周壁部分が主板の回動と共に開くことで、第１もしくは第２の周壁部に設けられたカッター刃を取り出すことができる。また、このケース開放状態では、テープロールの周面が広く露出することになり、テープロールの周面が観察し易くなる。また、第１の主板を第２の主板に対して回動させることで、一方の主板に取り付けられている支持軸を他方の主板から離れた位置まで移動させることも可能である。この場合、テープロールの交換が容易となる。
【００１５】
カッター刃の裏面側には、略円弧状のテープ支え面を設けることが好適である。このようなテープ支え面は、粘着テープがそこに付着することで、粘着テープの巻戻りを防止することができる。また、テープ支え面が粘着テープの切断の際に支点となるため、粘着テープの切断性を向上させる。
【００１６】
また、支持軸を第１の主板に設け、カッター刃を第２の周壁部分に設けてもよい。この構成では、第１の主板を第２の主板に対して回動させると、支持軸に取り付けられたテープロールとカッター刃の距離が大きくなり、カッター刃とテープロールとの間の粘着テープが摘み易くなる。
【００１７】
周壁の内面には、粘着テープの付着力を抑制する手段、例えば複数の凸状を設けることもできる。この場合、粘着テープがカッター刃から離れて周壁の内面に接しても、軽い力で粘着テープを周壁から引き剥がすことができる。
【００１８】
第１の主板及び第２の主板のいずれか一方に設けられた支持軸の自由端が、他方の主板に接し、その上を摺動できるようにすることも好適である。主板の回動時に支持軸が支えとなるため、安定して動作が得られ、片手によるケースの開放も可能となる。
【００１９】
また、このように自由端が他方の主板上を摺動可能とした場合、支持軸の自由軸と係合して支持軸の動きを制限する突起を設けておくことで、ケースの開放状態を維持でき、また、ケースの過度の開放を防ぐことができる。
【００２０】
かかるテープディスペンサーにおいては、上述したように、ケースを開放時、周壁が周方向に開くため、テープロールの周面を観察し易く、またアクセスし易くなる。したがって、粘着テープがテープロールに巻き戻っても、簡単に粘着テープの先端を探し出してテープロールから引き出すことができる。
【００２１】
また、第１の主板と第２の主板の相対的な回動位置によっては、支持軸に取り付けられたテープロールと干渉する部分をなくすことができ、テープロールの交換が容易になる。
【００２２】
このように、粘着テープの巻戻り対応及びテープロールの交換が容易化されていることから、テープディスペンサーの更なるコンパクト化を可能とするものである。すなわち、従来であれば、テープロールへのアクセス性を考慮してケースとテープロールとの間の空間を大きくする傾向があったが、本発明によるテープディスペンサーではそのような配慮は不要となる。
【００２３】
更に、ケースを閉じた状態では、テープロールは第１及び第２の主板並びに周壁により囲まれているため、テープロールはほこりからも保護される。
【００２４】
次に、図面を参照して本発明の好適な実施形態について詳細に説明する。なお、全図中、同一又は相当部分には同一符号を付し、重複した説明は省略する。
【００２５】
図１及び図２は本発明によるテープディスペンサー１０の一実施形態を示す斜視図であり、図１はケース１２を閉じた状態、図２はケース１２を開いた状態を示している。図３及び図４は、粘着テープ１４をロール状に巻回してなるテープロール１６が取り付けられたテープディスペンサー１０の使用状態を示している。
【００２６】
このテープディスペンサー１０は、テープロール１６を収容するためのケース１２を有している。ケース１２の材料は特に限定されないが、樹脂製であることが、軽量で取り扱い易く、製造も容易であることから好ましい。図示実施形態のケース１２は、一定の間隔を置いて互いに平行に配置された第１の主板１８及び第２の主板２０を備えている。第１の主板１８と第２の主板２０とは実質的に同形であり、図示実施形態では略正方形となっている。また、図１及び図４に示す状態では、第１の主板１８と第２の主板２０とは正対し、その各辺間には側板２２，２４，２６，２８が設けられ、第１の主板１８、第２の主板２０及び側板２２〜２８により囲まれる空間がテープロール１６を収容する空間となる。
【００２７】
図示実施形態においては、４枚の側板２２〜２８のうち隣合う２枚の側板（第２の周壁部分）２２，２４が第２の主板２０に一体化されている。また、残りの２枚の側板２６，２８（第１の周壁部分）が第１の主板１８に一体化されている。したがって、４枚の側板２２〜２８からなるケース１２の周壁は、その周方向において２つの周壁部分に分割されていることは理解されよう。
【００２８】
第２の主板２０側の側板２２，２４の対と第１の主板１８側の側板２６，２８の対とが対峙する部分３０，３２の一方３２において、第１の主板１８と第２の主板２０とは回動軸３４によって回動可能に相互に結合されている。したがって、テープディスペンサー１０のケース１２は、図２及び図３に示すように開放可能となる。
【００２９】
また、他方の部分３０に隣接している第２の主板２０側の側板２２の端部には、粘着テープ１４を切断するためのカッター刃３６が設けられている。なお、このカッター刃３６が、ケース１２を閉じた際に露出しないよう、図１及び図４の閉鎖状態で部分３０に隣接している第１の主板１８側の側板２８の端部がカッター刃３６をカバー位置まで延びていることが好適である。カッター刃３６は、第２の主板側の側板２２と異なる素材、例えば金属や異なる樹脂材料で形成することもできるが、第２の主板側の側板２２と一体に同一素材で形成することが望ましい。カッター刃３６と側板２２を一体とすることで、プロセスコスト、材料コストを低減できる。
【００３０】
第１の主板１８の内面には、テープロール１６を回転自在に支持するための円筒状の支持軸３８が一体的に設けられている。図示実施形態では、支持軸３８の自由端は第２の主板２０の内面上を摺動する位置まで延びている。
【００３１】
図５は第２の主板２０及び側板２２，２４の内面を示す斜視図である。この図に示すように、第２の主板２０の内面には突起４０，４２が２つ設けられている。図３に示すように、ケース１２を開けると、これらの突起４０，４２間に支持軸３８の自由端が係合され、これによってケース１２がその位置状態を保つことができるようになっている。突起４０，４２の高さは比較的低く、所定の力を加えることにより、支持軸３８の自由端は突起４０，４２を乗り越えることができ、第１の主板１８を第２の主板２０とは正反対の位置まで回動させることができる。
【００３２】
なお、突起４０，４２は第１の主板１８が第２の主板２０から大きく回動してテープロール１６の不測の脱落することを防止するストッパとしても機能するものである。このストッパの機能にのみ着目した場合には、突起は１つだけでもよい。
【００３３】
また、図５及び図６から理解される通り、カッター刃３６の裏面側に、テープ支え面４４が形成されることが望ましい。このテープ支え面４４は、粘着テープ１４の切断の際に支点となるものであり、そこに粘着テープ１４が付着することによりテープロール１６への巻戻り防止性を向上させるためのものでもある。
【００３４】
このテープ支え面４４は、一般的な据え置き型のテープで用いられるような略平面状のものではなく、第１及び第２の主板１８，２０に平行な面に沿っての断面が略円弧状のものとすることが望ましい。一般的な据え置き型のテープディスペンサーでは、テープロールから引き出されるテープの引き伸ばし方向とカッター刃との位置関係はほぼ常に一定であり、このため、テープ支え面のテープ引き伸ばし方向にほぼ平行な平板なものが用いられることが多い。しかし、図７に示すように、本実施形態のテープディスペンサー１０では、回動軸３４を中心に、第１の主板１８が第２の主板２０に対し回動する。このため、テープロール１６の中心位置は、第１の主板１８の回動とともに変化する。したがって、使用者が粘着テープ１４を切断する際のテープロール１６の位置は一定せず、それぞれの回動位置における、使用者が粘着テープ１４を切断する際のテープ引き伸ばし方向（図７において符号１４′で示す粘着テープの延びる方向）は、回動位置に応じて変化する。また、テープ引き伸ばし方向は、粘着力により、ロールテープ１６の接線方向というよりは、ロールテープ中心軸からの延長線上にあるのが通常であるが、テープロール１６は支持軸３８に回転自在に支持されるため、テープロール１６からの粘着テープ１４の剥離開始点（図７において粘着テープ１４′とテープロール１６との交点）の位置が変化することもある。例えば、図７の（ａ）、（ｂ）、（ｃ）から分かるように、第１の主板１８と第２の主板２０との間の回動角度に応じ、カッター刃３６のある位置とテープ引き伸ばし方向の傾斜角度は異なってくる。もし、平坦なテープ支え面を用いると、回動角度により、特に回動角度が浅い場合、テープ切断時に、テープとテープ支え面とが十分に接触面積を得ることができず、切断自体が困難になるとともに、切断後にテープ支え面でテープを保持できないおそれが生じる。これに対して、本実施形態では、テープ支え面４４を略円弧状とすることで、どのような回動角度であっても、引き伸ばされた粘着テープ１４が、カッター刃３６で切断される際に、必ずテープ支え面４４のいずれかの部分に接触するため、粘着テープ１４がテープ支え面４４に対して十分な接触面積を得ることができ、その結果、回動角度に関わらず、切断を安定に再現できるとともに、切断後にも、テープ支え面４４で粘着テープ１４を保持できる。テープ支え面４４の円弧は、例えば、曲率半径が５ｍｍ〜２０ｍｍ、より望ましくは８ｍｍ〜１２ｍｍ、円弧長が２ｍｍ〜１０ｍｍ、より望ましくは、３ｍｍ〜５ｍｍ程度とする。また、テープ支え面４４の高さは、カッター刃３６の高さと略同じ高さか、やや高い程度が望ましい。
【００３５】
更に、カッター刃３６の下側となる側板２２の内面部分には複数の突条４６が設けられている。テープロール収容時、粘着テープ１４が弛んでケース１２の内面に付着することが考えられるが、そのような付着をこれらの突条４６により抑制ないしは軽減することができる。
【００３６】
次に、上述したような構成のテープディスペンサー１０の使用方法及び作用について説明する。
【００３７】
まず、テープロール１６を支持軸３８に装着し、粘着テープ１４の先端をテープ支え面４４に付着させておく。そして、図１の状態から図２の状態を経て図３に示す位置までケース１２を開く。この開放操作は、支持軸３８の自由端が第２の主板２０の内面に接して摺動するため、第１及び第２の主板１８，２０は互いに支えられた状態となり、片手の操作でも安定して行うことができる。
【００３８】
図３に示す状態では、粘着テープ１４はテープ支え面４４とテープロール１６との間で橋架されているが、この部分は図４の符号Ｓで示すように広く露出したスペースにあるため、指で粘着テープ１４を容易に摘むことができる。これは、本実施形態に係るテープディスペンサー１０のより一層のコンパント化に寄与するものである。すなわち、ケース１２の内容積を大きくしなくても、粘着テープ１４を摘むスペースが形成されるため、ケース１２の一辺の長さをテープロール１６の最大径と同等な程度まで小さくすることができる。
【００３９】
更に、図３の状態では、２つの突起４０，４２の間に支持軸３８の自由端が挟持され、その状態が維持されるため、ケース１２を開閉しないように手でしっかりと把持する必要がなく、その取扱いがより容易となっている。また、図３の状態を超えて、第１の主板１８を第２の主板２０に対して９０度の角度まで回動させると（図７の（ａ））、側板２４と側板２６とは一直線状に整列するため、机等の平面に置くこともできる。したがって、従来の机置き型のテープディスペンサーと同様な使い方もできる。
【００４０】
粘着テープ１４を指で摘んだならば、一般的なテープディスペンサーと同様に、粘着テープ１４をテープ支え面４４から剥がしてテープロール１６から引き出し、所定の長さでカッター刃３６により切断する。このとき、粘着テープ１４はテープ支え面４４に再び付着しているため、そこが支点となって軽い力で粘着テープ１４を切断することができる。粘着テープ１４の使用量に応じてテープロール１６の径が小さくなり、粘着テープ１４の出所が変化するが、テープ支え面４４が略円弧状となっているため、粘着テープ１４のテープ引き伸ばし方向の傾斜角によらず、粘着テープ１４を安定して保持することができる。また、すでに説明したように、テープ支え面４４が略円弧状となっているため、第１の主板１８と第２の主板２０の回動角度がどの角度であっても、延着テープ１４の切断を安定に再現できるとともに、切断後にも、テープ支え面４４で粘着テープ１４を保持できる。
【００４１】
粘着テープ１４を指で摘んだならば、一般的なテープディスペンサーと同様に、粘着テープ１４をテープ支え面４４から剥がしてテープロール１６から引き出し、所定の長さでカッター刃３６により切断する。このとき、粘着テープ１４はテープ支え面４４に再び付着しているため、そこが支点となって軽い力で粘着テープ１４を切断することができる。また、粘着テープ１４の使用量に応じてテープロール１６の径が小さくなり、粘着テープ１４の出所が変化するが、テープ支え面４４が略円筒面のような凸状湾曲面となっているため、粘着テープ１４の傾斜角によらず、粘着テープ１４を安定して保持することができる。
【００４２】
粘着テープ１４の使用が終わったならば、ケース１２を図１及び図４の状態に戻す。この状態では、テープロール１６はその全体が実質的にケース１２により囲まれるため、ほこりの付着等の問題はなく、このテープディスペンサー１０を鞄等に入れて持ち運ぶ場合にも何らの支障もない。
【００４３】
また、ケース１２を閉鎖状態に戻すと、テープロール１６から引き出した粘着テープ１４が図４に示すように弛んだ状態となり、側板２２の内面に接することが考えられる。仮に側板２２の内面が平坦なものであると、側板２２に粘着テープ１４の粘着剤面全体が付着し、その付着力は相当に大きなものとなり、次の使用時に粘着テープ１４を側板２２から剥がすのに手間がかかるおそれがある。これに対して、本実施形態では、側板２２の内面には突条４６が複数設けられているため、粘着テープ１４の粘着剤面との接触面積が小さく粘着テープ１４の付着力が抑えられているため、次の使用時に粘着テープ１４を側板２２から簡単に剥がすことができる。
【００４４】
なお、側板２２に対する粘着テープ１４の付着力を抑制する手段としては、突条４６に限らず、多数の小突起を設けたり、側板２２の内面をサンド加工又はエンボス加工したり、或いは、シリコン系の離型処理剤を塗布したり、種々の手段が考えられる。また、付着力抑制手段を設ける位置も側板２２の内面に限られず、粘着テープ１４の粘着剤面が接する可能性のある部分であれば、どこに設けてもよい。
【００４５】
テープロール１６を交換する際には、第１の主板１８を第２の主板２０に対して正反対の位置まで回動させると、テープロール１６と干渉する部分がなくなるため、容易にテープロール１６の交換を行うことができる。
【００４６】
更に、粘着テープ１４がテープ支え面４４から剥がれ、テープロール１６に巻き戻ることも考えられる。この場合、図３に示す大きなスペースＳからテープロール１６の周面を観察することができ、容易に粘着テープ１４の端部を見つけ出すことができる。また、ケース１２を広く開放すれば、テープロール１６をケース１２に装着したまま粘着テープ１４の端部をテープロール１６から引き離すことができる。
【００４７】
以上、本発明の好適な実施形態について詳細に説明したが、本発明は上記実施形態に限定されないことは言うまでもない。
【００４８】
例えば、上記実施形態では、第１の主板１８に支持軸３８が一体形成されるものとしているが、図８に示すように第２の主板２０に支持軸３８を設けることもできる。この場合、支持軸３８とカッター刃３６との間の距離は変化せず、テープロール１６からカッター刃３６まで掛け渡されている粘着テープ１４も短いものとなる。しかしながら、ケース１２を開放した状態では、テープロール１６の周面及び粘着テープ１４は広く露出した状態となるため、当該部分へのアクセスは容易であり、上述したような従来のテープディスペンサーの不具合はない。
【００４９】
なお、上述の例では、第１の主板１８及びび第２の主板２０が略正方形の形状のディスペンサーを示したが、主板の平面形状は、限定されず、様々な変形が可能である。例えば、矩形のみならず、三角形、五角形、六角形等の多角形でもよい。さらに、円形、楕円形、U字形、あるいは、これらの形状を部分的に引き伸ばした形状なども使用可能である。
【符号の説明】
【００５０】
１０…テープディスペンサー、１２…ケース、１４…粘着テープ、１６…テープロール、１８…第１の主板、２０…第２の主板、２２，２４，２６，２８…側板（周壁）、３４…回動軸、３６…カッター刃、３８…支持軸、４０，４２…突起、４４…テープ支え面、４６…突条
【図１】
0006016348.tif 000002
【図２】
0006016348.tif 000003
【図３】
0006016348.tif 000004
【図４】
0006016348.tif 000005
【図５】
0006016348.tif 000006
【図６】
0006016348.tif 000007
【図７】
0006016348.tif 000008
【図８】
0006016348.tif 000009